(57)【要約】無線通信システムで１対多サービスを受信することのできるユーザ装置の制御方法は、１対多サービスを受信する段階と、前記１対多サービスの受信終了に対する応答としてセル再選択を行う段階とを含む。前記セル再選択は複数の周波数の間で行われる。また、前記セル再選択はネットワークからのシグナリングに対する応答として行われ、セル再選択基準を満たすか否かに関係なく行われる。前記セル再選択基準は、周波数間のセル再選択基準値と１つの周波数内のセル再選択基準値の少なくとも１つから構成される。前記セル再選択基準は、ＦＬＤ（Ｆｒｅｑｕｅｎｃｙ  Ｌａｙｅｒ  Ｄｉｓｐｅｒｓｉｏｎ）情報又はＦＬＣ（Ｆｒｅｑｕｅｎｃｙ  Ｌａｙｅｒ  Ｃｏｎｖｅｒｇｅｎｃｅ）情報で実現される。
2008510415.tif 000002
【特許請求の範囲】
【請求項１】
１対多サービスを受信する段階と、
前記１対多サービスの受信が終了すると、複数の周波数の間でセル再選択を行う段階と
を含むことを特徴とする無線通信システムで１対多サービスを受信することのできるユーザ装置（ＵＥ）の制御方法。
【請求項２】
前記セル再選択が、ネットワークからのシグナリングに対する応答として行われることを特徴とする請求項１に記載の無線通信システムで１対多サービスを受信することのできるユーザ装置（ＵＥ）の制御方法。
【請求項３】
前記セル再選択が、セル再選択基準を満たすか否かに関係なく行われることを特徴とする請求項１に記載の無線通信システムで１対多サービスを受信することのできるユーザ装置（ＵＥ）の制御方法。
【請求項４】
前記セル再選択基準が、周波数間のセル再選択基準値と１つの周波数内のセル再選択基準値の少なくとも１つを含むことを特徴とする請求項２に記載の無線通信システムで１対多サービスを受信することのできるユーザ装置（ＵＥ）の制御方法。
【請求項５】
前記セル再選択基準が、ＦＬＤ（Ｆｒｅｑｕｅｎｃｙ  Ｌａｙｅｒ  Ｄｉｓｐｅｒｓｉｏｎ）情報で実現されることを特徴とする請求項２に記載の無線通信システムで１対多サービスを受信することのできるユーザ装置（ＵＥ）の制御方法。
【請求項６】
前記セル再選択基準が、ＦＬＣ（Ｆｒｅｑｕｅｎｃｙ  Ｌａｙｅｒ  Ｃｏｎｖｅｒｇｅｎｃｅ）情報で実現されることを特徴とする請求項２に記載の無線通信システムで１対多サービスを受信することのできるユーザ装置（ＵＥ）の制御方法。
【請求項７】
前記１対多サービスがマルチメディアサービスであることを特徴とする請求項１に記載の無線通信システムで１対多サービスを受信することのできるユーザ装置（ＵＥ）の制御方法。
【請求項８】
前記１対多サービスがＵＴＲＡＮから受信されることを特徴とする請求項１に記載の無線通信システムで１対多サービスを受信することのできるユーザ装置（ＵＥ）の制御方法。
【請求項９】
前記セル再選択が、使用可能な周波数の間で行われることを特徴とする請求項１に記載の無線通信システムで１対多サービスを受信することのできるユーザ装置（ＵＥ）の制御方法。
【請求項１０】
１対多サービスを受信する手段と、
前記１対多サービスの受信が終了すると、複数の周波数の間でセル再選択を行う手段と
を含むことを特徴とする無線通信システムで１対多サービスを受信することのできるユーザ装置（ＵＥ）。
【請求項１１】
前記セル再選択が、ネットワークからのシグナリングに対する応答として行われることを特徴とする請求項１０に記載の無線通信システムで１対多サービスを受信することのできるユーザ装置（ＵＥ）。
【請求項１２】
前記セル再選択が、セル再選択基準を満たすか否かに関係なく行われることを特徴とする請求項１０に記載の無線通信システムで１対多サービスを受信することのできるユーザ装置（ＵＥ）。
【請求項１３】
前記セル再選択基準が、周波数間のセル再選択基準値と１つの周波数内のセル再選択基準値の少なくとも１つを含むことを特徴とする請求項１１に記載の無線通信システムで１対多サービスを受信することのできるユーザ装置（ＵＥ）。
【請求項１４】
前記セル再選択基準が、ＦＬＤ情報で実現されることを特徴とする請求項１１に記載の無線通信システムで１対多サービスを受信することのできるユーザ装置（ＵＥ）。
【請求項１５】
前記セル再選択基準が、ＦＬＣ情報で実現されることを特徴とする請求項１１に記載の無線通信システムで１対多サービスを受信することのできるユーザ装置（ＵＥ）。
【請求項１６】
前記１対多サービスがマルチメディアサービスであることを特徴とする請求項１０に記載の無線通信システムで１対多サービスを受信することのできるユーザ装置（ＵＥ）。
【請求項１７】
前記１対多サービスをＵＴＲＡＮから受信することを特徴とする請求項１０に記載の無線通信システムで１対多サービスを受信することのできるユーザ装置（ＵＥ）。
【請求項１８】
前記セル再選択が、使用可能な周波数の間で行われることを特徴とする請求項１０に記載の無線通信システムで１対多サービスを受信することのできるユーザ装置（ＵＥ）。
【発明の詳細な説明】
【技術分野】
【０００１】
本発明は無線通信システムにおける１対多サービスに関し、特に１対多サービスのための端末分布制御に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムから進化した第３世代移動通信システムであって、ＧＳＭコアネットワークとＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。
【０００３】
図１は、ＵＭＴＳネットワーク構造を示すブロック図である。
【０００４】
図１に示すように、ＵＭＴＳシステムは、一般的に、端末（例えば、ユーザ装置（ＵＥ））と、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）と、コアネットワーク（ＣＮ）とから構成される。前記ＵＴＲＡＮは、少なくとも１つの無線ネットワークサブシステム（Ｒａｄｉｏ  Ｎｅｔｗｏｒｋ  Ｓｕｂｓｙｓｔｅｍｓ：ＲＮＳ）を含み、前記各ＲＮＳは、１つの無線ネットワーク制御装置（Ｒａｄｉｏ  Ｎｅｔｗｏｒｋ  Ｃｏｎｔｒｏｌｌｅｒ：ＲＮＣ）と、前記ＲＮＣにより管理される少なくとも１つの基地局（例えば、Ｎｏｄｅ  Ｂ）とから構成される。前記各Ｎｏｄｅ  Ｂは、前記ＲＮＣにより管理され、アップリンクで端末の物理層から伝送された情報を受信し、ダウンリンクで端末にデータを送信することにより、ＵＴＲＡＮと端末とのアクセスポイントの役割を果たす。前記ＲＮＣは、無線リソースの割当及び管理を担当し、ＵＴＲＡＮとコアネットワークとのアクセスポイントの役割を果たす。
【０００５】
図２は、ＵＭＴＳネットワークにおけるＵＴＲＡＮと端末間の接続構造を示す図であり、３ＧＰＰ（Ｔｈｉｒｄ  Ｇｅｎｅｒａｔｉｏｎ  Ｐａｒｔｎｅｒｓｈｉｐ  Ｓｙｓｔｅｍ）無線アクセスネットワークの標準に準拠したＵＴＲＡＮと端末間の無線インタフェースプロトコル構造の一例を示す。
【０００６】
図２に示すように、前記無線インタフェースプロトコルは、水平的には、物理層、データリンク層、及びネットワーク層から構成され、垂直的には、データ情報を伝送するためのユーザプレーン、及び制御信号を伝送するための制御プレーンから構成される。また、図２のプロトコル層は、通信システムにおいて広く知られているＯＳＩ（Ｏｐｅｎ  Ｓｙｓｔｅｍ  Ｉｎｔｅｒｃｏｎｎｅｃｔｉｏｎ）参照モデルの下位３層に基づいて、第１層（Ｌ１）、第２層（Ｌ２）、及び第３層（Ｌ３）に区分することができる。
【０００７】
前記第１層（Ｌ１）（例えば、物理層）は、物理チャネルを利用して上位層に情報伝送サービス（Ｉｎｆｏｒｍａｔｉｏｎ  Ｔｒａｎｓｆｅｒ  Ｓｅｒｖｉｃｅ）を提供する。前記物理層は、上位層に位置する媒体アクセス制御（Ｍｅｄｉｕｍ  Ａｃｃｅｓｓ  Ｃｏｎｔｒｏｌ：ＭＡＣ）層にトランスポートチャネルを介して接続され、前記トランスポートチャネルで前記ＭＡＣ層と前記物理層間のデータ伝送が行われる。また、異なる物理層間、すなわち送信側の物理層と受信側の物理層との間で物理層を介してデータ伝送が行われる。
【０００８】
前記第２層（Ｌ２）のＭＡＣ層は、論理チャネルを利用して上位層である無線リンク制御（Ｒａｄｉｏ  Ｌｉｎｋ  Ｃｏｎｔｒｏｌ：ＲＬＣ）層にサービスを提供する。前記第２層のＲＬＣ層は、信頼性のあるデータ伝送をサポートし、ＲＬＣサービスデータユニット（ＲＬＣ  ＳＤＵ）の分割及び接続機能を実行する。
【０００９】
前記第３層（Ｌ３）の最下位に位置する無線リソース制御（Ｒａｄｉｏ  Ｒｅｓｏｕｒｃｅ  Ｃｏｎｔｒｏｌ：ＲＲＣ）層は、制御プレーンで定義され、無線ベアラ（Ｒａｄｉｏ  Ｂｅａｒｅｒ：ＲＢ）の設定、再設定、及び解除のために、トランスポートチャネル及び物理チャネルを制御する。ここで、ＲＢとは、端末とＵＴＲＡＮ間のデータ伝送のために前記第２層が提供するサービスを意味し、一般に、ＲＢの設定とは、特定サービスを提供するために必要なプロトコル層及びチャネルの特性を規定し、それぞれの詳細なパラメータ及び動作方法を設定する過程を意味する。
【００１０】
ＲＲＣメッセージを交換できるように特定端末のＲＲＣ層とＵＴＲＡＮのＲＲＣ層とが接続されているとき、当該端末はＲＲＣ接続状態にあり、接続されていないとき、当該端末はアイドル状態にある。さらに、ＲＲＣ接続状態の端末は、ＵＲＡ＿ＰＣＨ状態、ＣＥＬＬ＿ＰＣＨ状態、ＣＥＬＬ＿ＦＡＣＨ状態、及びＣＥＬＬ＿ＤＣＨ状態に分けられる。アイドル状態又はＵＲＡ＿ＰＣＨ状態及びＣＥＬＬ＿ＰＣＨ状態の端末は、電力消費を減らすために、不連続受信（Ｄｉｓｃｏｎｔｉｎｕｏｕｓ  Ｒｅｃｅｐｔｉｏｎ：ＤＲＸ）方式を用いて、物理チャネル（すなわち、ＰＩＣＨ（Ｐａｇｉｎｇ  Ｉｎｄｉｃａｔｏｒ  Ｃｈａｎｎｅｌ））とトランスポートチャネル（すなわち、ＰＣＨ（Ｐａｇｉｎｇ  Ｃｈａｎｎｅｌ））がマッピングされる物理チャネル（すなわち、ＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ））を不連続的に受信する。ここで、端末は、ＰＩＣＨ又はＳＣＣＰＣＨを受信するときを除いた残りの時間区間ではスリープモード状態にある。前記不連続受信（ＤＲＸ）方式を行う端末は、不連続受信周期長毎に１回ずつウェイクアップしてＰＩＣＨのＰＩ（Ｐａｇｉｎｇ  Ｉｎｄｉｃａｔｏｒ）を受信する。
【００１１】
ＲＲＣ接続状態の端末は、さらにコアネットワークとシグナリング接続を有することもあるが、この場合、シグナリング接続とは、端末とコアネットワークとが制御メッセージを交換できる通路を意味する。ＲＲＣ接続状態とは端末とＵＴＲＡＮ間の接続を意味し、シグナリング接続とは端末とコアネットワーク間の接続を意味する。端末はシグナリング接続を用いてコアネットワークに端末自身の位置を通知したりサービスを要求する。端末がシグナリング接続を有するためにはＲＲＣ接続状態になければならない。
【００１２】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：ＭＢＭＳ）について詳細に説明する。
【００１３】
ＭＢＭＳとは、ダウンリンク専用（ｄｏｗｎｌｉｎｋ−ｄｅｄｉｃａｔｅｄ）ＭＢＭＳベアラサービスによりストリーミング又はバックグラウンドサービスを複数の端末に提供するサービスをいう。ＵＴＲＡＮにおいて、ＭＢＭＳベアラは１対多無線ベアラと１対１無線ベアラを利用する。ここで、１対多無線ベアラは、該当サービスに加入している複数の端末が受信しなければならないため、共用チャネルを利用する（例えば、物理チャネルとしてはＳＣＣＰＣＨを利用する）。
【００１４】
ＭＢＭＳは、ブロードキャストモードとマルチキャストモードとに分けられる。ＭＢＭＳブロードキャストモードは、ブロードキャストエリアに存在する全てのユーザにマルチメディアデータを伝送するサービスである。これに対して、ＭＢＭＳマルチキャストモードは、マルチキャストエリアに存在する特定ユーザグループにのみマルチメディアデータを伝送するサービスである。ここで、ブロードキャストエリアとはブロードキャストサービスの伝送が可能な領域をいい、マルチキャストエリアとはマルチキャストサービスの伝送が可能な領域をいう。
【００１５】
図３は、ＵＭＴＳネットワークが１対多サービスを端末に提供する例を示す図である。
【００１６】
図３に示すように、ＵＥ１は、ＭＢＭＳサービスを受信するために、加入過程を行わなければならない。また、ＵＥ１は、ネットワークが提供するＭＢＭＳサービスに関するサービス案内を受信しなければならない。ここで、加入とは、サービス提供者とユーザ間に関係を設定する行為をいい、サービス案内とは、今後提供されるサービスのリストと関連情報を端末に通知する機能をいう。例えば、マルチキャストモードのＭＢＭＳサービスを受信しようとする端末は、マルチキャストグループに参加しなければならない。ここで、マルチキャストグループとは、特定マルチキャストサービスを受信する端末の集団をいい、参加とは、ユーザが特定マルチキャストサービスを受信しようとするマルチキャストグループのユーザに合流する過程をいう。前記参加過程により、端末は特定マルチキャストデータを受信しようとする意思をＵＭＴＳネットワークに通知することができる。逆に、特定マルチキャストグループに参加していた端末がそのマルチキャストグループへの参加を解除する過程を脱退という。前記加入、参加、及び脱退過程は端末毎に行われる過程である。端末はデータの伝送前、伝送中、又は伝送後のいつでも加入、参加、及び脱退過程を行うことができる。
【００１７】
特定ＭＢＭＳサービス中に、そのＭＢＭＳサービスに関する１つ以上のセッションが順次発生し得る。ＭＢＭＳデータソースに特定ＭＢＭＳサービスのために伝送しなければならないデータが発生した場合、コアネットワークはＲＮＣにセッション開始を通知する。これに対して、ＭＢＭＳデータソースに特定ＭＢＭＳサービスのために伝送しなければならないデータがない場合、コアネットワークはＲＮＣにセッション終了を通知する。特定ＭＢＭＳサービスに関するデータ伝送過程は、前記セッション開始と前記セッション終了との間に行われる。ここで、前記データ伝送過程により伝送されるデータは、前記マルチキャストグループに参加している端末にのみ伝送される。
【００１８】
前記セッション開始過程で、ＵＴＲＡＮは、コアネットワークからセッション開始を受信し、端末にＭＢＭＳ通知を送信する。ここで、ＭＢＭＳ通知とは、あるセル内に特定ＭＢＭＳサービスのデータ伝送が近づいていることをＵＴＲＡＮが端末に通知する機能をいう。前記ＭＢＭＳ通知は、そのサービスに属するデータの伝送前に複数回伝送される。ＵＴＲＡＮは、前記ＭＢＭＳ通知過程を行うとき、１つのセル内で特定ＭＢＭＳサービスを受信しようとする端末の数をカウントするカウント機能を実行することもできる。前記カウント機能は、特定ＭＢＭＳサービスデータを伝送するための無線ベアラを１対多無線ベアラに設定するか、１対１無線ベアラに設定するか、又は無線ベアラを設定しないかを決定するのに用いられる。
【００１９】
ＵＴＲＡＮは、適切なＭＢＭＳ無線ベアラを選択するために内部的に閾値を設定する。ＵＴＲＡＮは、カウント機能を実行した後、該当セルで該当ＭＢＭＳサービスを受信しようとする端末の数が閾値より少ない場合、１対１無線ベアラを設定する。これに対して、該当セルで該当ＭＢＭＳサービスを受信しようとする端末の数が閾値より多い場合、１対多無線ベアラを設定する。このようにＭＢＭＳ無線ベアラを決定した後、ＵＴＲＡＮは、該当無線ベアラの設定情報を端末に通知する。
【００２０】
特定サービスに対して１対１無線ベアラが設定される場合、そのサービスを受信しようとする全ての端末はＲＲＣ接続状態になければならない。これに対して、特定サービスに対して１対多無線ベアラが設定される場合、そのサービスを受信しようとする端末の全てがＲＲＣ接続状態にある必要はない。すなわち、アイドル状態の端末も１対多無線ベアラを利用してＭＢＭＳサービスデータを受信することができる。しかし、前記カウント過程の結果、特定ＭＢＭＳサービスを受信しようとする端末がない場合、ＵＴＲＡＮは、無線ベアラを設定せず、ＭＢＭＳサービスデータを伝送しない。これは、サービスを受信しようとするユーザがないのにＵＴＲＡＮが無線ベアラを設定することは無線リソースの浪費であるためである。そして、ＵＴＲＡＮは、前記決定された無線ベアラを利用して、ＭＢＭＳサービスの１セッション中にコアネットワークから伝送されたＭＢＭＳサービスデータの伝送を開始する。
【００２１】
前記カウント過程で、ＵＴＲＡＮはＲＲＣアイドルモードの端末に関しては何の情報も有しないため、ＲＲＣアイドルモードの端末は、ＵＴＲＡＮから端末自身が加入しているＭＢＭＳサービスに対するカウントが要求された場合、ＵＴＲＡＮとのＲＲＣ接続を行って端末自身が前記特定ＭＢＭＳサービスを受信しようとすることをＵＴＲＡＮに通知しなければならない。
【００２２】
しかし、端末がＳＧＳＮとシグナリング接続を有する場合、ＳＧＳＮはＵＴＲＡＮに端末のＭＢＭＳに関する情報を通知する。前記情報は端末が加入しているＭＢＭＳサービスのリストを含む。従って、ＵＴＲＡＮが前記端末に対しては特定ＭＢＭＳサービスに加入しているか否かを知っているため、前記端末はＵＴＲＡＮのカウント要求に応答しない。また、ＳＧＳＮとシグナリング接続を有しないが、ＲＲＣ接続状態にある端末は、端末自身が加入しているＭＢＭＳサービスのリストをＵＴＲＡＮに通知することができる。従って、ＵＴＲＡＮは、ＲＲＣ接続状態にある端末からは応答を受けなくても、特定ＭＢＭＳサービスを受信しようとする端末の数を把握することができる。
【００２３】
ＵＴＲＡＮは、前記カウント過程をＭＢＭＳサービスの１セッション中、又はＭＢＭＳサービスの初期段階で行うことができる。これは、ＭＢＭＳセッション中に、端末が他のセルに移動するか、その電源を切るか、又はＭＢＭＳサービスの利用を中止することによって、１つのセルでＭＢＭＳサービスを受信しようとする端末の数が変わることがあるためである。従って、より効率的に無線ベアラを設定するために、ＵＴＲＡＮはＭＢＭＳセッション中にもカウント過程を行うことができる。
【００２４】
以下、ＦＬＣ（Ｆｒｅｑｕｅｎｃｙ  Ｌａｙｅｒ  Ｃｏｎｖｅｒｇｅｎｃｅ）について説明する。
【００２５】
実際に、ＵＭＴＳシステムにおいて１つの基地局は、１つ以上の周波数帯域を使用することができる。特に、多くのユーザが集まっている地域（例えば、ホットスポット）では１つの周波数帯域で全てのユーザに適切な品質のサービスを提供できないため、サービス事業者は基地局が設置される地域でのサービス需要を考慮して、１つ以上の周波数帯域を使用してサービスを提供する。
【００２６】
１つの基地局が複数の周波数を使用する場合、例えば、隣接した複数の周波数を使用する場合、各周波数において電波の伝搬特性は非常に類似している。１つのＭＢＭＳサービスが特定セル内で特定周波数に使用できる全体電力の約１０％に該当する電力レベルで提供されると、前記基地局が同一のＭＢＭＳサービスを他の周波数で提供するとき、多くの無線リソースが消費される。
【００２７】
従って、１つの基地局が複数の周波数を使用する場合、基地局は、ＭＢＭＳサービスを提供するために、使用可能な周波数のうち１つの周波数を選択する。その後、端末は上述した選択された周波数に移動する。このような動作をＦＬＣという。ここで、基地局がＭＢＭＳサービスを提供するために選択した特定周波数を選好周波数（ｐｒｅｆｅｒｒｅｄ  ｆｒｅｑｕｅｎｃｙ）という。
【００２８】
ＦＬＣにおいて、ＭＢＭＳ開始を端末に通知するとき、基地局は、前記ＭＢＭＳサービスが提供される選好周波数を前記端末に通知して、前記端末が特定周波数に移動するように誘導する。このために、前記基地局は、選好周波数以外の周波数に位置する端末に、前記ＭＢＭＳサービスが選好周波数でのみ提供されることを通知する。すると、前記端末はセル再選択過程を行う。セルを変更するための条件を満足するとき、前記端末は前記選好周波数に移動するためにセル再選択を行う。
【００２９】
以下、端末によるセル再選択について説明する。
【００３０】
セル再選択過程は、端末が少なくとも最低品質のサービスを提供するセルに位置するための過程である。この過程で、端末はサービングセル（ｓｅｒｖｉｎｇ  ｃｅｌｌ）の品質と隣接セル（ｎｅｉｇｈｂｏｒｉｎｇ  ｃｅｌｌ）の品質とを比較する。隣接セルの品質がサービングセルの品質よりも優れていると、端末は隣接セルを端末自身のサービングセルに再設定する。
【００３１】
セル品質は電波環境の影響を受け、その電波環境は不規則な方式で変化する。その結果、２つ以上のセルの境界に位置する端末は、交流方式（例えば、交互に他のセルを選択する方式）で頻繁に前記セル再選択を行う。前記セル再選択が行われる度に、前記端末は新しいセルに端末自身の位置を再登録するか、又はデータ伝送を一時停止しなければならない。従って、前記セル再選択は、リソースの浪費を防止するために必要以上頻繁に行ってはならない。これにより、サービングセルの品質が特定基準値よりも高いとき、前記端末はセル再選択を行わない。前記特定基準値は、サービスを満足な水準で端末に提供できる値に設定される。すなわち、前記サービングセルが隣接セルよりも優れた品質を提供しなくても、前記サービングセルの品質が前記特定基準よりも高いと、前記端末はセル再選択を行わない。
【００３２】
１つの基地局が複数の周波数を使用するとき、各周波数は特定セルのためのものであり、前記セル再選択は、ＵＴＲＡＮが端末に位置すべきセルを指定しないＣｅｌｌ＿ＰＣＨ、Ｃｅｌｌ＿ＦＡＣＨ、ＵＲＡ＿ＰＣＨ、及びアイドルモードで使用される。
【００３３】
以下、ＦＬＣについてセル再選択に関連して説明する。端末が位置するセルの周波数が選好周波数ではないとき、前記端末はＭＢＭＳサービスの開始段階で、基地局から前記選好周波数に関する情報を受信する。しかし、前述したように、前記端末が位置するセルの品質が特定基準値を超えていると、前記端末はセル再選択過程を行わない。前記端末が加入しているＭＢＭＳサービスが選好周波数でのみ提供されるため、前記端末が前記選好周波数に移動しないと、前記端末は端末自身が加入しているサービスを受信できないこともある。従って、前記端末は、端末自身が加入しているサービスを受信できるように、特定ＭＢＭＳサービスが特定周波数でのみ提供され、前記端末は選好周波数に位置しないとき、端末自身が位置するサービングセルの品質が特定基準値より高くても、セル再選択過程を行う。
【００３４】
前記セル再選択過程で、前記基地局は、前記端末の特定周波数選択を容易にするために、前記端末にオフセット値を通知する。前記オフセット値は、前記選好周波数に位置するセルの品質測定値に加えられるか、又は前記選好周波数に位置しないセルの品質測定値から引かれる。特定周波数又は特定セルは、前記オフセット値に基づいて、他のセルよりも優れた品質を有するように決定される。これにより、前記基地局は前記端末が前記選好周波数又は特定セルに移動する確率を高める。
【００３５】
前述したように、ＦＬＣは所定の地域で複数の端末を特定周波数帯域に位置させるための方法である。すなわち、前記ＦＬＣ方法を用いて、前記基地局は前記端末にＭＢＭＳサービスを提供するための無線リソースの消費を減少させることができる。
【００３６】
しかし、前記ＦＬＣは、多くの端末が選好周波数に位置するように意図的に端末の分布を変化させる。その結果、選好周波数には非常に多くの端末が位置するが、他の周波数には相対的に少ない数の端末が位置する。従って、特定セルにのみ負荷が集中し、周波数とセル間の不均衡が発生する。また、端末が数個のセルにわたって均一に分布した場合に比べて、ＦＬＣが実現されたとき、端末は低い品質のサービスを受信するので、結果として無線リソースの非効率的な割当をもたらすことがある。
【００３７】
前述したように、ＭＢＭＳサービスの開始段階で、端末は端末自身が位置するサービングセルの品質が所定の基準値を超えていなくても、基地局から伝送された情報に基づいてセル再選択を行って選好周波数のセルに移動する。しかし、ＭＢＭＳサービスが終了した後は、端末自身が位置するセルの品質が所定の基準値を超えても、端末が新しいセルに移動するのではなく、継続して選好周波数に位置する。すなわち、ＭＢＭＳサービス開始状態は、つまり、他の周波数に位置する端末が前記選好周波数に集中することは、ＭＢＭＳサービスが終了した後まで続く。しかし、セルが適切な品質でサービスを提供できる端末数を超えるという問題が発生し得る。さらには、この問題は前記ＭＢＭＳサービスが終了した後も続くことがある。
【００３８】
一般に、端末が最も品質のよいセルに位置する場合、多くのデータを相対的に少ない電力を有する基地局とも交換できる。しかし、現在のＭＢＭＳサービスのＦＬＣ方法によると、端末がＭＢＭＳサービスが終了した後に他の周波数又は他のセルからさらに優れた品質を有するサービスを受信することができても、前記端末は周波数を変更しない。その代わりに、前記端末は現在選択されているセルの品質が所定の基準値よりも高いときは、継続して同一の周波数に位置する。このようなＭＢＭＳサービス終了後の端末分布は端末の電力を浪費する。
【発明の開示】
【発明が解決しようとする課題】
【００３９】
そこで、本発明は、従来技術の限界と欠点による１つ以上の問題を実質的に除去する１対多サービスのための端末分布制御を提供する。
【００４０】
本発明は、１対多サービス終了時における、ＦＬＣにより特定選好周波数に集中している端末の様々な周波数への均一な分布を提供することを目的とする。
【００４１】
本発明の付加的な利点、目的、及び特性は後述する発明の詳細な説明に記述されるが、一部はその記述内容から明確になるか、本発明の実施により理解されるであろう。本発明の目的と他の利点は、特に、発明の詳細な説明及び添付図面だけでなく、特許請求の範囲に開示された構成により実現される。
【課題を解決するための手段】
【００４２】
上記の目的を達成するために、本発明による無線通信システムで１対多サービスを受信することのできるユーザ装置（ＵＥ）の制御方法は、１対多サービスを受信する段階と、前記１対多サービスの受信終了に対する応答としてセル再選択を行う段階とを含む。前記セル再選択は複数の周波数の間で行われる。
【００４３】
前記セル再選択はネットワークからのシグナリングに対する応答として行われる。前記セル再選択はセル再選択基準を満たすか否かに関係なく行われる。前記セル再選択基準は、周波数間のセル再選択基準値と１つの周波数内のセル再選択基準値の少なくとも１つから構成される。
【００４４】
前記セル再選択基準は、ＦＬＤ（Ｆｒｅｑｕｅｎｃｙ  Ｌａｙｅｒ  Ｄｉｓｐｅｒｓｉｏｎ）情報又はＦＬＣ（Ｆｒｅｑｕｅｎｃｙ  Ｌａｙｅｒ  Ｃｏｎｖｅｒｇｅｎｃｅ）情報で実現される。
【００４５】
前記１対多サービスはマルチメディアサービスである。前記１対多サービスはＵＴＲＡＮから受信される。前記セル再選択は使用可能な周波数の間で行われる。
【００４６】
本発明の目的、特性、及び利点は後述する発明の詳細な説明及び添付図面により明らかになるであろう。上述した一般的な記載と後述する発明の詳細な説明は例示にすぎず、特許請求の範囲に記載された本発明の理解を助けるために提供されたものである。
【発明を実施するための最良の形態】
【００４７】
以下、添付図面を参照して本発明の好ましい実施形態を詳細に説明する。なお、同一又は類似した部分には図面全体にわたって同一番号を付す。
【００４８】
本発明は３ＧＰＰにより開発されたＵＭＴＳなどの移動通信システムで実現される。しかし、本発明は他の標準に準拠して動作する通信システムにも適用可能である。また、以下に言及される１対多サービスは、ＭＢＭＳ又は他のタイプのサービスを示す。また、以下に言及される端末は、ユーザ装置（ＵＥ）又は他のタイプの端末を示す。
【００４９】
本発明を利用することにより、ＵＴＲＡＮはより効率的にリソースを利用及び配分することができる。また、端末はセル内でより効率的により優れた品質を有するサービスを受信することができる。一実施形態において、ＦＬＣにより選好周波数に移動した端末は、該当ＭＢＭＳサービスが終了した後、セル再選択を行って相対的により優れた品質を有する周波数に移動する。すなわち、ＭＢＭＳサービスが終了したとき、端末は基地局からＭＢＭＳサービスの終了が通知されてセル再選択過程を行う。前記セル再選択過程で、前記端末は使用可能な周波数を候補周波数として探索する。また、前記ＭＢＭＳサービスの終了はＭＢＭＳセッションの終了であることも知られている。
【００５０】
また、前記ＭＢＭＳサービスが終了したとき、前記基地局は選好周波数に集中している多くの端末を様々な周波数にわたって均一に配分する。前記基地局は各周波数に存在するセルで発生する負荷を認知することができる。従って、前記基地局はＦＬＣ情報を調整して複数の端末を特定周波数帯域に集めることができる。前記基地局により複数の端末が集中した前記特定周波数帯域は選好周波数である。又は、前記基地局は複数の端末に様々な周波数帯域に分散するように指示できる。
【００５１】
前記ＦＬＣ情報は、各ＭＢＭＳが伝送されている周波数に関する詳細を含む。また、前記ＦＬＣ情報は、端末がセル再選択を行うとき、セルに適用される測定パラメータ、測定補正値、又はオフセットなどに関する詳細を含む。さらに、前記ＦＬＣ情報は、セル変更を判断できる基準、又はセル再選択を様々な周波数に対して行うべきか否かに関する指示を含む。
【００５２】
前記基地局がＭＢＭＳサービスを提供するとき、選好周波数に集中している端末の数が他のサービスの提供において問題が発生するほどは多くないか、又は端末が既に他の周波数に最大容量まで集中しており、前記他の周波数にさらなる端末が集中することができなければ、前記基地局は、前記ＭＢＭＳサービスが終了しても、前記端末にセル再選択を行うように指示しない。しかし、前記基地局が選好周波数に集中している端末を様々な周波数に分配する必要がある場合、前記基地局は、前記端末が現在位置するセル内の選好周波数の品質がセル再選択基準値より高くても、セル再選択過程を行うように指示する。
【００５３】
図４は、本発明の一実施形態による１対多サービスのための端末分布制御を示す図である。
【００５４】
図４に示すように、基地局はＦＬＣ情報を伝送し、端末は前記ＦＬＣ情報に基づいて選好周波数に移動する。その後、前記端末はＭＢＭＳサービスを受信する。前記ＭＢＭＳサービスが終了したとき、前記端末は使用可能な周波数の品質を測定し、最も品質のよいセルの周波数を選択するセル再選択過程を行う。上述した選択された周波数は、現在のサービングセル又は他のセルにある。前記端末が他のセルで周波数を選択すると、前記他のセルがサービングセルとして指定される。新しいサービングセルの選択は、その新しいサービングセルの品質がセル再選択基準値を上回るか否かに関係なく行われる。好ましくは、前記セル再選択基準値は、周波数間のセル再選択基準値（Ｓｉｎｔｅｒｓｅａｒｃｈ）又は１つの周波数内のセル再選択基準値（Ｓｉｎｔｒａｓｅａｒｃｈ）である。
【００５５】
前記ＭＢＭＳセッションが終了した後、前記端末は端末自身が位置する周波数を選択するために、セル再選択基準値に関係なく、様々な周波数の品質を測定するまでセル再選択を行う。その後、前記端末は上述した選択された周波数に移動する。さらに、前記セル再選択は、前記サービングセルの品質値が特定基準値よりも低い場合に行われる。
【００５６】
前記端末による前記ＭＢＭＳサービスの受信中に、ＦＬＣ情報（例えば、選好周波数に関する情報）が変更されるか、ＦＬＣ情報が前記基地局から伝送されないか、又は前記基地局が前記端末にＦＬＣがこれ以上使用されないことを通知した場合、前記端末は使用可能な周波数に関するセル再選択基準値に関係なくセル再選択を行う。使用可能な周波数は、前記端末が位置するサービングセルに隣接した周波数である。
【００５７】
また、本発明の他の実施形態においては、複数の周波数を選好周波数として設定することができる。この場合、集中にもかかわらずサービス品質が維持される。このために、基地局は複数の周波数を選好周波数として割り当て、ＭＣＣＨ（ＭＢＭＳ  Ｃｏｎｔｒｏｌ  Ｃｈａｎｎｅｌ）で端末に通知する。前記基地局から１つ以上の周波数が選好周波数として割り当てられたという通知を受信すると、前記端末は前記基地局により提供されたオフセット値を前記選好周波数に追加してセル再選択過程を行う。
【００５８】
前記セル再選択過程で、複数の選好周波数が基地局から伝送された特定ＭＢＭＳサービスに関するものである場合、端末は任意の周波数を選択した後、前記任意の周波数帯域のセルを端末自身のサービングセルとして選択する。また、前記特定ＭＢＭＳサービスに関する複数の選好周波数が前記基地局から伝送されると、前記端末は、最適の品質を有する周波数帯域を選択し、該当周波数帯域のセルを端末自身のサービングセルとして設定するために、前記選好周波数帯域のセル品質を測定する。
【００５９】
また、前記セル再選択過程で、前記基地局から受信した特定ＭＢＭＳサービスに関する選好周波数の数が変更されたとき、前記端末は、各周波数帯域を測定して任意の帯域を選択した後、該当周波数帯域に移動する。また、前記セル再選択中に、前記基地局から受信した特定ＭＢＭＳサービスに関する選好周波数の数が変更されたとき、前記端末は、各周波数帯域を測定して最も優れた品質を提供する周波数帯域を選択した後、該当周波数帯域に移動する。また、前記セル再選択過程で、前記基地局から前記端末に伝送されたＦＬＣ情報が選好周波数に関する情報を含まないとき、前記端末は、使用可能な周波数を候補周波数として探索することにより、セル再選択過程を行う。
【００６０】
しかし、いったん前記ＭＢＭＳサービスが終了すると、前記セル再選択過程が様々な周波数を候補周波数として探索する必要があるとき、前記端末が位置するセルを判断するために行う、使用可能な周波数に関する品質の測定は、多くの時間を要求する。前記測定のための時間は前記端末のサービス断絶時間を増加させる結果をもたらす。従って、前記ＭＢＭＳサービスが終了した後、前記端末が様々な周波数を候補周波数として探索することによりセル再選択を行うとき、前記端末は全ての周波数を測定することはない。むしろ、使用可能な周波数のうち任意の周波数を選択し、その任意の周波数のセルに移動する。
【００６１】
一実施形態において、無線通信システムで１対多サービスを受信することのできるユーザ装置の制御方法は、１対多サービスを受信する段階と、前記１対多サービスの受信終了に対する応答としてセル再選択を行う段階とを含む。前記セル再選択は複数の周波数の間で行われる。
【００６２】
前記セル再選択はネットワークからのシグナリングに対する応答として行われる。前記セル再選択はセル再選択基準を満たすか否かに関係なく行われる。前記セル再選択基準は、周波数間のセル再選択基準値と１つの周波数内のセル再選択基準値の少なくとも１つから構成される。
【００６３】
前記セル再選択基準はＦＬＤ情報又はＦＬＣ情報で実現される。
【００６４】
前記１対多サービスはマルチメディアサービスである。前記１対多サービスはＵＴＲＡＮから受信される。前記セル再選択は使用可能な周波数の間で行われる。
【００６５】
本発明は、ＭＢＭＳサービスが終了した後に端末がセル再選択を行うことを提供する。これにより、端末は最適の品質を提供するサービスのセルに移動する。従って、負荷が特定セルに集中することを最小化できる。
【００６６】
以上の説明に多くの事項が具体的に記載されているが、これは発明の範囲を限定するものではなく、好ましい実施形態の例示として解釈されるべきである。従って発明について説明された実施形態によって定めるのでなく、特許請求の範囲とその均等物によって定められなければならない。
【図面の簡単な説明】
【００６７】
本発明の理解を容易にするために添付され、本明細書の一部を構成する図面は、本発明の多様な実施形態を示し、明細書と共に本発明の原理を説明する。
【図１】ＵＭＴＳネットワーク構造を示すブロック図である。
【図２】ＵＭＴＳネットワークにおけるＵＴＲＡＮと端末間の接続構造を示す図である。
【図３】ＵＭＴＳネットワークが１対多サービスを端末に提供する例を示す図である。
【図４】本発明の一実施形態による１対多サービスのための端末分布制御を示す図である。
【図１】
2008510415.tif 000003
【図２】
2008510415.tif 000004
【図３】
2008510415.tif 000005
【図４】
2008510415.tif 000006
【国際調査報告】
2008510415.tif 000007
2008510415.tif 000008